(57)【要約】      （修正有）【課題】雨水による水溜りの発生及びそれに伴うテントフレームの変形及び損傷を防止し、テント内部の空間を狭めることがない折畳み式テントフレームを提供する。【解決手段】４本の支柱１の上端にそれぞれ設けたトップ連結具１０と前記支柱１にそれぞれ嵌装したスライド部材１１とに、鋏形状で結合される連結フレーム２を折畳まれるように連結し、前記支柱１を集めると、前記スライド部材１１が前記支柱１に沿って下降しながら折畳まれるように構成され、さらに前記連結フレーム２に形成された関節部２ａに別のトップ柱連結フレーム３を鋏形状に枢支し、該トップ柱連結フレーム３の下側に位置した端部Ｃをトップ柱６の下側に構成されたトップ柱連結具４に枢支し、上側に位置した端部Ｄを前記トップ柱６が挿入及び支持されるトップ柱支持具５に枢支して前記トップ柱６が昇降するように構成される。【選択図】図１
0003119523.tif 000002
【実用新案登録請求の範囲】
【請求項１】
４つの支柱の上段にそれぞれ設けたトップ連結具と前記支柱にそれぞれ嵌装したスライド部材とに、鋏形状で結合される連結フレームを折畳まれるように連結し、前記支柱を集めると、前記スライド部材が前記支柱に沿って下降しながら折畳まれるように構成され、さらに前記連結フレームに形成された関節部に別のトップ柱連結フレームを鋏形状に枢支し、該トップ柱連結フレームの下側に位置した端部をトップ柱の下側に構成されたトップ柱連結具に枢支し、上側に位置した端部を前記トップ柱が挿入及び支持されるトップ柱支持具に枢支して前記トップ柱が昇降するように構成されたテントフレームにおいて、前記それぞれのトップ連結具に一端が枢支され他端がそれぞれ内側に向けられたテント支持杆が設けられ、前記それぞれのスライド部材には一端が枢支され他端が前記テント支持杆の先端方向に枢支連結されて該テント支持杆を上向きに支持する支杆を設けたことを特徴とする折畳み式テントフレーム。
【考案の詳細な説明】
【技術分野】
【０００１】
本考案は、雨除け、日除けのためのテントを構成する折畳み式テントフレームに関する。
【背景技術】
【０００２】
従来、図４に示すように、方形に配置された連結フレーム２を鋏形状にして、これらを連結して関節部２ａを形成し、前記鋏形状の転結フレーム２の上側に位置した端部Ａを支柱１の上端部に枢着し、下側に位置した端部Ｂを前記支柱１の嵌装したスライド部材１１に枢着し、前記支柱１を集めると、前記スライド部材１１が前記支柱１に沿って下降しながら、前記鋏形状の連結フレーム２の連結し合う前記関節部２ａが折畳まれるように構成され、さらに前記連結フレーム２の関節部２ａに別のトップ柱連結フレーム３を鋏形状に枢支し、該トップ柱連結フレーム３の下側に位置した端部Ｃをトップ柱６の下端に構成されたトップ柱連結具４に枢支し、上側に位置した端部Ｄを前記トップ柱６が挿入及び支持されるトップ支持具５に枢支して前記トップ柱６が昇降するように構成されたテントフレームが提案されている（アメリカ合衆国特許明細書Ｎｏ．５７９４６４０参照）。
【０００３】
前記従来のテントフレームは、前記トップ柱６を支える鋏形状の前記トップ柱連結フレーム３が前記支柱１間を連結する前記連結フレーム２の前記関節部２ａに枢着されるため、テントを広げた時、前記トップ柱連結フレーム４がテントの内部の上側に鋏形状に設けられて内部の空間が低くなり、その結果、前記支柱１と前記トップ柱６との間にへこみが生じるという問題があった。前記テントのへこみは、雨天においては、水溜りが生じ、雨水の荷重が加わり、テントフレームの変形、損傷を招くおそれがあった。
【特許文献１】アメリカ合衆国特許明細書Ｎｏ．５７９４６４０
【考案の開示】
【考案が解決しようとする課題】
【０００４】
本考案は、前記のごとき、雨水による水溜りの発生及びそれに伴うテントフレームの変形、損傷を防止し、テント内部の空間を狭めることがない折畳み式テントフレームを提供することを目的とする。
【課題を解決するための手段】
【０００５】
前記課題を解決するため、本考案は、４本の支柱の上端にそれぞれ設けたトップ連結具と前記支柱にそれぞれ嵌装したスライド部材とに鋏形状で結合される連結フレームを折畳まれるように連結し、前記支柱を集めると、前記スライド部材が前記支柱に沿って下降しながら折畳まれるように構成され、さらに前記連結フレームに形成された関節部に別のトップ柱連結フレームを鋏状に枢支し、該トップ柱連結フレームの下側に位置した端部をトップ柱の下側に構成されたトップ柱連結具に枢支し、上側に位置した端部を前記トップ柱が挿入及び支持されるトップ柱支持具に枢支して前記トップ柱が昇降するように構成されたテントフレームにおいて、前記それぞれのトップ連結具に一端が枢支され他端がそれぞれ内側に向けられたテント支持杆が設けられ、前記それぞれのスライド部材には一端が枢支され他端が前記テント支持杆の先端方向に枢支連結されて該テント支持杆を上向きに支持する支杆を設けたものである。
【考案の効果】
【０００６】
前記考案によれば、前記のごとき、雨水による水溜りの発生及びテントフレームの変形、損傷を防止でき、テント内部の空間を狭めることがない効果を得ることができる。
【考案を実施するための最良の形態】
【０００７】
以下、本考案の実施の一形態を、図面を参照して説明する。図１は、本発明の折畳み式テントフレームの全体斜視図、図２は、要部を外側から見た拡大斜視図、図３は、要部を内側から見た拡大斜視図、図４は、従来例を示すテントフレームの全体斜視図である。なお、以下の説明において、前記従来例と同様の構成部分は、同じ符号をもって表す。
【０００８】
連結フレーム２を鋏形状にして、これらを連結して関節部２ａを形成し、前記鋏形状の連結フレーム２の上側に位置した端部Ａを、それぞれ４本の支柱１の上端に設けたトップ連結具１０に枢着し、下側に位置した端部Ｂを前記４本の支柱１に嵌装したスライド部材１１に枢着し、前記４本の支柱１を集めると、前記スライド部材１１が前記支柱１に沿って下降しながら、前記鋏形状の連結フレーム２を連結し合う前記関節部２ａが折畳まれる構成になっている。さらに、前記連結フレーム２の前記関節部２ａに別のトップ柱連結フレーム３を鋏形状に枢支し、該トップ連結フレーム３の下側に位置した端部Ｃをトップ柱６の下端に構成されたトップ柱連結具４に枢支し、上側に位置した端部Ｄを前記トップ柱６が挿入及び支持されるトップ支持具５に枢支して前記トップ柱６が昇降するように構成される。
【０００９】
本考案では、前記それぞれの支柱１の上端に設けられるトップ連結具１０及び前記それぞれの支柱１に嵌装されるスライド金具１１の構成が変更される。
【００１０】
まず、トップ連結具１０について説明すると、従来は、その直角方向に、前記鋏形状の連結フレーム２の上側に位置した端部Ａの枢着部１０ａ，１０ｂが設けられていたのみであったが、本考案では、さらに、図２及び図３に示すように前記枢着部１０ａ，１０ｂの中間部に、後に述べるテント支持杆１２の一端１２ａの枢着部１０ｃが形成される。
【００１１】
また、スライド金具１１について説明すると、従来は、その直角方向に、前記鋏形状の連結フレーム２の下側に位置した端部Ｂの枢着部１１ａ，１１ｂが設けられていたのみであったが、本考案では、さらに、図２及び図３に示すように前記枢着部１１ａ，１１ｂの中間部に、後に述べる前記テント支持杆１２を上向きに支持する支杆１３の一端１３ａの枢着部１１ｃが形成される。
【００１２】
なお、図中、１４は、前記スライド金具１１を前記支柱１の所定位置に固定するストッパーであり、その詳細を図示していないが、前記支柱１側に適数の貫通孔が設けられ、前記ストッパー１４がスプリング（図示せず）の力で前記貫通孔に適合させられる構成になっている。図中、１５は、前記ストッパー１４の取っ手であり、該ストッパー１４を前記図示しない貫通孔から離脱させる時に引張される。
【００１３】
つぎに、前記のごとく、トップ連結具１０の前記枢着部１０ｃに、前記テント支持杆１２の一端１２ａがピン１６によって枢着される。また、前記スライド金具１１の前記枢着部１１ｃに前記テント支持杆１２を上向きに支持する支杆１３の一端１３ａがピン１７によって枢着される。
【００１４】
さらに、前記支杆１３の他端１３ｂが前記テント支持杆１２の先端方向にピン１８によって枢支連結される。なお、前記支杆１２の前記テント支持杆１２に対する枢支連結は、該テント支持杆１２を上向きに支持する位置とされる。
【００１５】
前記構成にあっては、従来、前記トップ柱６と前記支柱１の上端とで支持されていたテントが、前記トップ柱６と前記テント支持杆１２及び前記支柱１の上端とで支持される。
【００１６】
しかも、本考案において、前記テントの支持は、前記テント支持杆１２の働きで、前記トップ柱６から前記テント支持杆１２の上面を通って前記支柱１の上端へ下り傾斜させられた状態となり、テントの垂れ下がりが防止される。したがって、雨水による水溜りの発生及びそれに伴うテントフレームの変形、損傷を防止することができ、さらにテント内部の空間を狭めることがないものである。
【００１７】
なお、折畳み際には、前記テント支持杆１２と前記支杆１３は、スライド部材１１の下降によって略直線状になるが、場合によっては、前記ピン１８を外しそれぞれを下方に垂下させることによって、折畳みの障害になることはない。
【図面の簡単な説明】
【００１８】
【図１】本考案の実施の一形態を示し、折畳みテントフレームの全体斜視図である。
【図２】要部を外側から見た拡大斜視図である。
【図３】要部を内側から見た拡大斜視図である。
【図４】従来例を示すテントフレームの斜視図である。
【符号の説明】
【００１９】
１    支柱
２    連結フレーム
２ａ  関節部
３    トップ柱関節フレーム
４    トップ柱連結具
５    トップ柱支持具
６    トップ柱
１０  トップ連結具
１１  スライド金具
１２    テント支持杆
１２ａ  テント支持杆の一端
１２ｂ  テント支持杆の他端
１３    支杆
１３ａ  支杆の一端
１３ｂ  支杆の他端
【図１】
0003119523.tif 000003
【図２】
0003119523.tif 000004
【図３】
0003119523.tif 000005
【図４】
0003119523.tif 000006